(57)【要約】      （修正有）【課題】防音性能、床鳴り、床部材の膨張収縮による不具合の発生に加え、バリアフリー対応による安全の確保を期待できる床はこれまでなかった。【解決手段】突き付け状態で隙間隠し部材を用いた防音二重床において、隙間隠し部材７又は開口部下部横材６若しくはフローリング材１の少なくとも一方に斜部を有し、その斜部を利用して隙間隠し部材と開口部下部横材又は隙間隠し部材とフローリング材を重ねることにより、バリアフリー機能を持たせた防音二重床。開口部下部横材、隙間隠し部材及びフローリング材の斜部角度が２度以上４５度以下、又は開口部下部横材、隙間隠し部材及びフローリング材の斜部長さが水平距離で５ｍｍ以上の防音二重床。さらに、開口部下部横材、フローリング材及び隙間隠し部材の上面高さの差が５ｍｍ以内である特徴も有す。【選択図】  図１
2004238866.tif 000002
【特許請求の範囲】
【請求項１】
突き付け状態にある開口部下部横材とフローリング材との間に隙間を設け、その隙間を隠すように隙間隠し部材を用いた防音二重床において、隙間隠し部材又は開口部下部横材若しくはフローリング材の少なくとも一方に斜部を有し、その斜部を利用して隙間隠し部材と開口部下部横材又は隙間隠し部材とフローリング材を重ねることにより、バリアフリー機能を持たせたことを特徴とする防音二重床。
【請求項２】
隙間隠し部材、開口部下部横材及びフローリング材の斜部角度を２度以上４５度以下とすることを特徴とする請求項１に記載の防音二重床。
【請求項３】
開口部下部横材及びフローリング材の斜部長さを水平距離で５ｍｍ以上とすることを特徴とする請求項１及び請求項２に記載の防音二重床。
【請求項４】
開口部下部横材、フローリング材及び隙間隠し部材の上面高さの差が５ｍｍ以内であることを特徴とする請求項１〜請求項３のいずれかに記載の防音二重床。
【発明の詳細な説明】
【０００１】
【発明の属する技術分野】
本発明は、集合住宅や戸建て住宅用の二重床、特に防音性の高い二重床に関する。
【０００２】
【従来の技術】
集合住宅では、階上の住人が発生する音にその階下の住人が悩まされるといった音起因の問題が多発する傾向にある。また、戸建ての住宅においても、例えば２階の物音が気になるなど、同様の問題が発生している。この問題を解決するため、住宅としての防音性が見直され、種々の工夫がなされている。
【０００３】
防音二重床もその一つであり、支持構造からの見直しもなされている。例えば、従来は敷居、掃き出し窓下端部材、上がり框などの開口部下部横材にフローリング材を突き付ける際は開口部下部横材とフローリング材との隙間を設けずに接触させていた。そのため、防音性能の低下や歩行による床の沈み込み時に床鳴りなどの問題が発生している。また、脱湿により床部材が収縮した場合は開口部下部横材とフローリング材の突き付け部に隙間が生じ、吸湿により床部材が膨張した場合は床面の波打ちなどの外観を損ねる問題が生じた。
【０００４】
これらの改善のために、開口部下部横材とフローリング材の突き付け部に隙間を設け、開口部下部横材と隙間隠し部材と一体化防音二重床が開示されている（例えば、特許文献１参照）。また、改良した根太部材を用いて根太と壁コンクリートスラブの間に隙間を設ける方法が開示されている（例えば、特許文献２参照）。さらには、根太と床材との間に緩衝材を設ける方法が開示されている（例えば、特許文献３参照）。
【０００５】
【特許文献１】
特開２００１−２９５４５０号公報
【特許文献２】
特開２０００−１９９３２８号公報
【特許文献３】
特開２００１−２４１１７９号公報
【０００６】
また、室内における安全を確保することも重要で、躓きなどによる転倒を防止のため床面の段差を極力小さくするバリアフリー対策が望まれているが、十分な防音性とバリアフリーを両立する二重床はこれまでなかった。
【０００７】
【発明が解決しようとする課題】
防音二重床を支持構造の面からも見直すことは可能である。しかし、防音性を改善しながら構造を変えていくことについては、建築物としての構造上から、下述する問題、
▲１▼フローリング材と開口部下部横材との接触面における床の沈み込みによる床鳴りの発生
▲２▼フローリング材と開口部下部横材との接触による振動伝搬
▲３▼脱湿による開口部下部横材とフローリング材の突き付け部における隙間の発生
▲４▼吸湿による床面の波打ち状態の発生
などがある。
【０００８】
特開２００１−２９５４５０号公報で開示されたものの場合、開口部下部横材表面とフローリング材表面との間に段差があり、躓きの原因となり安全上好ましくない。また、フローリング材の損傷や汚れなどの不具合のために隙間隠し材を交換する必要が生じたとき、開口部下部横材も一緒に加工する必要性が生じ、交換の頻度やその加工の程度によっては開口部下部横材の交換も必要となる問題が発生している。
【０００９】
特開２０００−１９９３２８号公報で開示された方法の場合、開口部下部横材とフローリング材との間に段差をなくすことが出来るが、フローリング材と開口部下部横材が接触しているため、振動伝搬による防音性能の低下や吸湿による床面波打ちなどの基本的な問題は解決していない。
【００１０】
さらには、特開２００１−２４１１７９号公報で開示された方法の場合、開口部下部横材とフローリング材との間に段差をなくすことが出来るが、緩衝材の潰れによる床鳴り問題が発生している他、振動伝搬による防音性能の低下や吸湿による床面波打ちの問題も発生している。
【００１１】
【問題を解決するための手段】
上述の問題点を解決するために、鋭意検討した結果、本発明に至った。本発明は、突き付け状態にある開口部下部横材とフローリング材との間に隙間を設け、その隙間を隠すように隙間隠し部材を用いた防音二重床において、隙間隠し部材又は開口部下部横材若しくはフローリング材の少なくとも一方に斜部を有し、その斜部を利用して隙間隠し部材と開口部下部横材又は隙間隠し部材とフローリング材を重ねることにより、バリアフリー機能を持たせた防音二重床である。
【００１２】
また、隙間隠し部材、開口部下部横材及びフローリング材の斜部角度を２度以上４５度以下とする防音二重床であり、隙間隠し部材開口部下部横材及びフローリング材の斜部長さを水平距離で５ｍｍ以上とする防音二重床である。
【００１３】
さらに、開口部下部横材、フローリング材、隙間隠し部材の上面高さの差が５ｍｍ以内である防音二重床である。
【００１４】
【発明の実施形態】
本発明は、図１に示すように、突き付け状態にある開口部下部横材６とフローリング材１との間に隙間を設け、その隙間が隠れるように隙間隠し部材７を用いる防音二重床に関する。フローリング材１は床基盤から防振ゴム５を支持脚４で連結した根太３を支えとしたパーティクルボード２の上に位置している。
【００１５】
さらに、図２に示すように、開口部下部横材６には長さがＬで角度θ１を有す斜部、隙間隠し部材には角度θ２を有す斜部があり、隙間隠し部材の先端は、フローリング材１や開口部下部横材６の高さからＤだけ下の位置にある。また、開口部下部横材６と隙間隠し部材７若しくはフローリング材１との距離はＷ１の関係にある。
【００１６】
本発明は、突き付け状態にある開口部下部横材とフローリング材との間に隙間を設け、その隙間を隠すように隙間隠し部材を用いた防音二重床において、隙間隠し部材又は開口部下部横材若しくはフローリング材の少なくとも一方に斜部を有し、その斜部を利用して隙間隠し部材と開口部下部横材又は隙間隠し部材とフローリング材を重ねることにより、バリアフリー機能を持たせた防音二重床である。
【００１７】
斜部を利用して、隙間隠し部材と開口部下部横材、又はフローリング材と開口部下部横材を重ねることで、二重床が膨張又は収縮した場合でも隙間隠し部材と開口部下部横材との間に段差が付きにくくなり、バリアフリーの状態を保つことができる。この斜部を設けないと、二重床が膨張又は収縮した場合、開口部下部横材、隙間隠し部材およびフローリング材のいずれかに軋みが発生し、段差が発生する。
【００１８】
また、隙間隠し部材、開口部下部横材及びフローリング材の斜部角度を２度以上４５度以下とする必要がある。開口部下部横材、隙間隠し部材及びフローリング材の斜部角度が２度未満であると、隙間隠し部材等の強度を期待することができない上、実質的にバリアフリーの状態とすることが難しくなる。開口部下部横材、隙間隠し部材及びフローリング材の斜部角度が４５度を超えると、膨張又は収縮した場合の余裕代が小さくなり、バリアフリーの状態を保つことが難しくなる。好ましくは、３度以上４０度以下である。
【００１９】
開口部下部横材及びフローリング材の斜部長さを水平距離に５ｍｍ以上とすることも必要である。開口部下部横材及びフローリング材の斜部長さが５ｍｍ未満であると、膨張又は収縮した場合の余裕代が小さくなり、バリアフリーの状態を保つことが難しくなる。好ましくは、１０ｍｍ以上３００ｍｍ以内である。
【００２０】
さらに、開口部下部横材、フローリング材及び隙間隠し部材の上面高さの差が５ｍｍ以内である防音二重床である。隙間隠し部材上面と開口部下部横材上面、フローリング材上面高さの差を５ｍｍ以内とすれば、実質的にいわゆるバリアフリーの状態であり、躓き防止の安全に寄与する。その高さの差が５ｍｍを超えると、安全性は下がり、躓きや車椅子での移動に問題が発生してくる。
【００２１】
フローリング材の端面や下部に隙間隠し部材を接合することも可能であり、隙間隠し部材表面とフローリング材表面とを同じ高さとしながら、隙間隠し部材を強固に接合できるので、集中的に荷重が隙間隠し部材に加わった場合でも隙間隠し部材が外れるなどの不具合を防ぐことができる。
【００２２】
なお、開口部下部横材とフローリング材を接触させない構造とすることは重要である。開口部下部横材とフローリング材を接触させない構造とすることで、防音性能を向上させ、床鳴りの発生をなくすことができる。従来工法のように、開口部下部横材とフローリング材の間に隙間を設けないと、開口部下部横材とフローリング材との間で音の伝達があり、防音性が著しく劣る。
【００２３】
【実施例】
以下、実施例に基づき、述べる。
（実施例１）
図３に示すように、床基盤から連結した防振ゴム５、支持脚４、根太３を支えとしてパーティクルボード２を施工した。厚さ１２ｍｍのフローリング材１は、タッカーを用いてパーティクルボードに固定した。開口部下部横材６とフローリング材１との間に隙間を設け、その隙間を隠すために長さが１５ｍｍ、開口部下部横材に重なる部分の最大厚さが２ｍｍで熱可塑性エラストマー製の隙間隠し部材７を用いた。開口部下部横材と二重床との隙間が隠れるようにフローリング材端面とフローリング材端部上面に隙間隠し部材を接着剤にて一体化した。隙間隠し部材の先端とフローリング材および開口部下部横材の高さの差Ｄは１．２ｍｍ、開口部下部横材の斜部長さＬは２０ｍｍ、開口部下部横材の斜部角度θ１  は６度、隙間隠し部材の斜部角度θ２  は１５度であった。
【００２４】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、エアコンと除湿機を用いて冬期に見られるような湿度が低い状態にしたところ、床部材が新たに約１．５ｍｍ収縮したが、隙間隠し部材７が新たに生じた隙間を覆っているので隙間は見えず、また、開口部下部横材の端面をスロープとしているので段差が付き難く外観も良好であった。
【００２５】
（実施例２）
床基盤から連結した防振ゴム、支持脚、根太を支えとしてパーティクルボードを施工した。厚さ１２ｍｍのフローリング材は、タッカーを用いてパーティクルボードに固定した。開口部下部横材とフローリング材との間に隙間を設け、その隙間を隠すために長さが１５ｍｍ、開口部下部横材に重なる部分の最大厚さが３ｍｍで熱可塑性エラストマー製の隙間隠し部材を用いた。開口部下部横材と二重床との隙間が隠れるようにフローリング材端面とパーティクルボード端部上面に隙間隠し部材を接着剤にて一体化した。隙間隠し部材の先端とフローリング材および開口部下部横材の高さとの距離Ｄは１．５ｍｍ、フローリング材の斜部長さＬは１５ｍｍ、フローリング材の斜部角度θ１  は１１度、隙間隠し部材の斜部角度θ２  は２３度であった。
【００２６】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、エアコンと除湿機を用いて冬期に見られるような湿度が低い状態にしたところ、床部材が新たに約１．５ｍｍ収縮したが、隙間隠し部材７が新たに生じた隙間を覆っているので隙間は見えず、また、開口部下部横材の端面をスロープとしているので段差が付き難く外観も良好であった。
【００２７】
（実施例３）
図４に見られるように床基盤から連結した防振ゴム５、支持脚４、根太３を支えとしてパーティクルボード２を施工した。厚さ１２ｍｍのフローリング材１は、タッカーを用いてパーティクルボードに固定した。開口部下部横材６とフローリング材１との間に隙間を設け、その隙間を隠すために長さが１２ｍｍ、フローリング材に重なる部分の最大厚さが４ｍｍで熱可塑性エラストマー製の隙間隠し部材７を用いた。開口部下部横材と二重床との隙間が隠れるように開口部下部横材端面に隙間隠し部材を接着剤にて一体化した。隙間隠し部材の先端とフローリング材および開口部下部横材の高さとの距離Ｄは１．６ｍｍ、フローリング材の斜部長さＬは１０ｍｍ、フローリング材の斜部角度θ１  は２２度、隙間隠し部材の斜部角度θ２  は３７度であった。
【００２８】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、エアコンと除湿機を用いて冬期に見られるような湿度が低い状態にしたところ、床部材が新たに約１．５ｍｍ収縮したが、隙間隠し部材７が新たに生じた隙間を覆っているので隙間は見えず、また、フローリング材の端面をスロープとしているので段差が付き難く外観も良好であった。
【００２９】
（比較例１）
実施例１と同様に、床基盤から連結した防振ゴム、支持脚、根太を支えとしてパーティクルボードを施工した。厚さ１５ｍｍのフローリング材は、タッカーを用いてパーティクルボードに固定した。開口部下部横材６とフローリング材１との間に隙間を設け、その隙間を隠すために長さが３０ｍｍ、開口部下部横材に重なる部分の最大厚さが１０ｍｍで熱可塑性エラストマー製の隙間隠し部材７を用いた。開口部下部横材と二重床との隙間が隠れるようにフローリング材端面とパーティクルボート端部上面に隙間隠し部材を接着剤にて一体化した。隙間隠し部材の先端とフローリング材および開口部下部横材の高さの差Ｄは５ｍｍ、開口部下部横材の斜部長さＬは９ｍｍ、開口部下部横材の斜部角度θ１  は４８度、隙間隠し材又はフローリング材の斜部角度θ２  は４７度であった。
【００３０】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値より１６ｄＢの改善がみられ、また、エアコンと除湿機を用いて冬期に見られるような湿度が低い状態にしたところ、隙間隠し部材の先端とフローリング材および開口部下部横材の高さの差Ｄが７．１ｍｍとなった。この発生した段差により躓きやすい状態となり、安全状態に問題があった。
【００３１】
（比較例２）
図５に示すように、床基盤から連結した防振ゴム５、支持脚４、根太３を支えとしてパーティクルボード２を施工した。厚さ１２ｍｍのフローリング材１は、タッカーを用いてパーティクルボードに固定した。開口部下部横材６とフローリング材１との間に隙間を設け、その隙間を隠すために長さが１５ｍｍ、最大厚さが１２ｍｍで熱可塑性エラストマー製の従来タイプの隙間隠し部材７を用いた。開口部下部横材と二重床との隙間が隠れるようにフローリング材端面とパーティクルボート端部上面に隙間隠し部材を接着剤にて一体化した。
【００３２】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値からの改善が１６ｄＢの改善がみられたが、バリアフリーの状態とはいえず、車椅子での移動に問題が発生し、かつ躓きやすく、安全上問題があった。
【００３３】
（比較例３）
図６に示すように、床基盤から連結した防振ゴム５、支持脚４、根太３を支えとしてパーティクルボード２を施工した。厚さ１２ｍｍのフローリング材１はタッカーを用いてパーティクルボードに固定した。開口部下部横材６とフローリング材１との間には隙間を設けなかった。
【００３４】
得られた二重床についてＪＩＳ  Ａ  １４１８−１に基づいて床衝撃音遮断性能試験（軽量衝撃音の遮断性能）を実施したところ、２５０Ｈｚにおいてスラブ素面値からの改善が１２ｄＢしかなく防音性能に問題があった。且つ、床鳴りなどの異音も発生した。
【００３５】
【発明の効果】
本発明の二重床によれば、防音性能の向上及び床鳴りの防止、吸脱湿による床部材の膨張収縮による不具合の発生防止の他、バリアフリー対応による安全性の確保も期待できる。
【図面の簡単な説明】
【図１】本発明の隙間隠し部材と防音二重床構造を示す概念図である。
【図２】図１の拡大図である。
【図３】実施例１に示すバリアフリータイプの防音二重床の側面図である。
【図４】実施例３に示すバリアフリータイプの防音二重床の側面図である。
【図５】比較例２に示す非バリアフリータイプの隙間隠し材を用いた従来工法の側面図である。
【図６】比較例３に示す開口部下部横材とフローリング材とを接触させた従来工法の側面図である。
【符号の説明】
１    フローリング材
２    パーティクルボード
３    根太
４    支持脚
５    防振ゴム
６    開口部下部横材
７    隙間隠し部材
Ｄ        隙間隠し部材の先端とフローリング材及び開口部下部横材の高さの差
Ｌ    開口部下部横材又はフローリング材の斜部長さ
Ｗ１    フローリング材と開口部下部横材との隙間長さ
θ１    開口部下部横材又はフローリング材の斜部角度
θ２        隙間隠し部材の斜部角度
【図１】
2004238866.tif 000003
【図２】
2004238866.tif 000004
【図３】
2004238866.tif 000005
【図４】
2004238866.tif 000006
【図５】
2004238866.tif 000007
【図６】
2004238866.tif 000008